(57)【要約】【課題】足の爪先の形状に合わせ、小指側よりも親指側の編地面積を大きくし、かつ、平面視爪先部周縁にゴアラインが位置することによる履心地の低下を生ずることのないソックスを得る。【解決手段】胛側編地と足底側編地とをその外縁を一にして重ね、前記両編地それぞれの、踵部から爪先部に至る長手方向に延びる中心線上に基点を定め、胛側編地と足底側編地のそれぞれに、ソックス外面より見て対称形に前記基点から長さの異なる２以上の連続するゴアラインを前記両編地の爪先部に形成し、小指側よりも親指側の爪先部において編地面積を大きくした。【選択図】        図１
2004218131.tif 000002
【特許請求の範囲】
【請求項１】
胛側編地と足底側編地とをその外縁を一にして重ね、前記両編地それぞれの、踵部から爪先部に至る長手方向に延びる中心線上に基点を定め、胛側編地と足底側編地のそれぞれに、ソックス外面より見て対称形に前記基点から長さの異なる２以上の連続するゴアラインを前記両編地の爪先部に形成し、小指側よりも親指側の爪先部において編地面積を大きくしたことを特徴とするソックス。
【請求項２】
ゴアラインはＶ字状をなしていることを特徴とする請求項１記載のソックス。
【請求項３】
ゴアラインはＶ字の一辺が、更に分岐したＹ字状をなしていることを特徴とする請求項１記載のソックス。
【請求項４】
ゴアラインはＹ字状をなしていることを特徴とする請求項１記載のソックス。
【発明の詳細な説明】
【０００１】
【発明の属する技術分野】
本発明は、人体の爪先の形状に合わせ、小指側よりも親指側の編地面積が大きくなるように設計したソックスに関する。
【０００２】
【従来の技術】
図４Ａに示す如く丸編機によるソックス１０１の編成は、一般に穿口部１０２から筒状に編成を開始し、脚部１０３に次いで必要に応じ踵部のヒールポケット１０４を編成し又は編成せずに足部１０５，爪先部１０６の編成をし、最後に爪先部と足部との間に生じた開口をリンキング等１１３により閉じて製品とする。足部１０５，爪先部１０６は着用時上面側に位置する胛側編地１０７と下面側に位置する足底側編地１０８とよりなり、足部１０５の編地は編機シリンダの回転により環状に、足部に続く先端の爪先部１０６は、足底側の編地１０８を編機の回転範囲を適宜コース順次縮少することにより台形編地１０９を編成して爪先先端のコース１１０まで編成し、その後は、前記編幅を縮少した編成とは逆に同コース数編幅を増大しつつ台形編地１１１を編成する。この編幅を増大しつつ編成された台形編地１１１は、爪先部最先端のコース１１０から爪先部の胛側の編地となり、足底側の台形編地１０９と胛側の台形編地１１１とはその編地両端で綴じ合わされゴアライン１１２を形成して袋状となり、爪先部最終のコースと、前記筒状に編成された足部１０５の胛側の編地１０７の最終コースとの間に開口を作る。この開口はリンキング等適宜手段１１３により閉じられる。
【０００３】
然し、この手段によって編成されたソックスを、偏平に畳んだ状態での爪先部１１６の平面視は、左右対象の台形をなし足に着用した際に足指の形状に添う形とは言えず、親指の当たる部分は編地が伸びて変形することになり、編地を傷める原因ともなっている。そのため使用中足の形とソックスの平面形状とが一致するように親指側の編地を突出させたソックスが考えられた（例えば特許文献１参照）。
【０００４】
また、丸編機によるソックス爪先部の編成において、足底側編地の編成の際に、シリンダを往復回転しその往復動時に、少なく共一方側において編目数を多く減らすことによって、編成するコース幅の中心をコース編成の都度親指側に移行させ、作られた台形の編地の各コース中心を親指側に振らし、爪先最先端コースで最も振り幅を減少してから胛側編地の編成に移り、以後足底側編地の編成とは逆にコースごとに編目数を増加して足底側編地と対称形の胛側編地を編成し、各コース端において足底側編地と胛側編地とを編み綴じることで爪先の袋部分を編成したソックスが考えられた（例えば特許文献２参照）。
【０００５】
然し、上記文献１に記載されたソックスは厚味増加編立部分を有することで親指側の爪先部分の袋体は大きくふくらむが、爪先部分の（胛側編地と足底側編地との接合部分にはゴアラインが生じ、これを平面視的に見れば、爪先部先端を除き爪先部周縁にゴアラインが位置することになる。このゴアラインの位置については特許文献２に記載されたソックスでも同様位置となる。
【０００６】
スポーツ時に着用するソックスにあっては足を保護する目的で太糸により厚手に編成されるが、そのような編成を行いゴアラインが爪先の周縁に発現するような編成手段を採用した場合、ゴアラインを構成する編糸が着用者の指先或いは指周縁に当たり不快感を生じ、更には足を傷めることにもなり兼ねない。この点において紳士用ソックスにあっても編地は厚くないが同様の障害の恐れは生ずる。
【０００７】
【特許文献１】
実用新案登録第３０４４５９８号公報
【特許文献２】
特表２００２−５０９２０２号公報
【０００８】
【発明が解決しようとする課題】
本発明は上記の点に鑑みて、足の爪先の形状に合わせ、小指側よりも親指側の編地面積を大きくし、かつ、平面視爪先部周縁にゴアラインが位置することによる履心地の低下を生ずることのないソックスを得ることを目的とする。
【０００９】
【課題を解決するための手段】
請求項１記載の発明においては、胛側編地と足底側編地とをその外縁を一にして重ね、前記両編地それぞれの、踵部から爪先部に至る長手方向に延びる中心線上に基点を定め、胛側編地と足底側編地のそれぞれに、ソックス外面より見て対称形に前記基点から長さの異なる２以上の連続するゴアラインを前記両編地の爪先部に形成し、小指側よりも親指側の爪先部において編地面積を大きくした。
請求項２記載の発明においては、ゴアラインをＶ字状としている。
請求項３記載の発明においては、ゴアラインはＶ字の一辺が、更に分岐したＹ字状としている。
【００１０】
【発明の実施の形態】
本発明ソックスはトウポケットよりなる爪先部の形状に特徴を有するもので、シリンダの往復回転により編成されるトウポケットよりなる爪先部の編成時、編成の中心を、足部編地の平面視における編成の中心位置より９０°変位させることによってトウポケットに作られるゴアラインをソックスの胛側編地と足底側編地内面に発現させ前記両編地の周縁には発現しないようにしたものである。
【００１１】
本発明ソックス１は丸編靴下編機により穿口部２，脚部３，踵部４，足部５，爪先部６と連続して筒状に編成される。此の間踵部４には必要に応じて常法によりヒールポケット７が作られる。ヒールポケット７を設けない場合には、脚部３に続いて足部５を環状に編成する。ヒールポケット７を設ける場合は環状に編成していた脚部３の編成が終了したときに、図１Ｂに示すシリンダＳに挿入された半数のｃ，ｄ，ａの範囲の針（図示せず）を休止させａ，ｂ，ｃの範囲の針（図示せず）によってシリンダの往復回転による編成を続行し、かつ、適宜コース数ごとに端部に位置する編成中の針を休止位置に置くことで前記シリンダの往復編成による編み幅を減じ台形の編地７ａを作る（図１Ｃ参照）。このときシリンダＳの往復回転により編成されたコースの中心は図１Ｂに示すｂ点である。
【００１２】
所定コース数編成後、今度は逆に同範囲（ａ，ｂ，ｃ）の針により編幅を増加しつつ前記同様ｂ点を中心に往復回転し台形編地７ａとは対称形をなした台形編地７ｂを編成する。台形編地７ａ，７ｂはその両側端縁で編みとじされゴアライン８を形成し袋状にヒールポケット７を作る。踵部４の編成が終了すると休止していたｃ，ｄ，ａの範囲の針も編成位置に移しシリンダＳの連続回転により環状に足部５の編成を行う。ｃ，ｄ，ａの範囲の針で編成された編地が胛側編地５１となりａ，ｂ，ｃの範囲の針で編成された編地が足底側編地５２となる。足部５は環状に編成されるから胛側編地５１と足底側編地５２とを重ね偏平にした状態での踵部から爪先部に延びる足部中心線ｘ−ｘは図１Ｃのｂ−ｂ線とｄ−ｄ線の重なった線となる。足部５を所定コース数編成した後爪先部６のトウポケット９の編成に移る。
【００１３】
爪先部６の編成はヒールポケット７を編成したシリンダＳのａ，ｂ，ｃの範囲の針と９０°位相をずらせたｂ，ｃ，ｄの範囲の針でシリンダの往復回転で編成を行う。前記往復動の中心は図１Ｂのｃであり、先に踵部４のヒールポケット７を編成した針の中心ｂとは位相上９０°ずれた位置の針となる。
上記ｂ，ｃ，ｄの範囲の針を用いシリンダＳの往復回転によってトウポケット９の編成を開始するが、編成されるコースの開始点・基点Ｐはｂ又はｄの針ということになり、このｂ，ｄの針は前述の如く、胛側編地５１と足底側編地５２とを重ね偏平にした状態で足部を爪先方向に延びるに中心線ｘ−ｘ上に位置することになる。即ち、トウポケット９編成の開始点Ｐは上記足部中心線ｘ−ｘ上にあり、後述する如く、トウポケット９の構成により作られるゴアライン１０の基点も同一位置となる。
【００１４】
トウポケット９の編成は、次の如く行われる。編成を開始しつつ所定コース編成して後、次いで逆に振り幅を増大しつつ同一コース編成して第２の台形編地９ｂを編成する。そして、上記第１，第２の台形編地９ａ，９ｂはヒールポケット７と同様にそれぞれのコースの端部でゴアライン１０を京成して９１を構成する。第１の袋体９１はｃｄ間の針で編成された編地が胛側編地となりｂｃ間の針で編成された編地が足底側編地５２となる。そして、上記第１，第２の台形編地９ａ，９ｂの端縁にはゴアライン１０ａが構成される。このゴアライン１０ａは、胛側編地と足底側編地の双方に発現する。
【００１５】
第２の台形編地９ｂに続いて第３，第４の台形編地９ｃ，９ｄの編成を行う。これらの編成は第１，第２の台形編地９ａ，９ｂの編成と同様に第３の台形編地９ｃが第２の台形編地９ｂの長辺に続いて編成を開始されコースの編成が進むにつれて編幅を縮少し、所定の編幅となってからは逆に編幅を増大してｂ，ｃ，ｄ範囲まで編幅を増加させて第４の台形編地９ｄの編成を終る。上記の編成において第１の台形編地９ａと第２の台形編地９ｂのコース端縁が編み綴じされて第１の袋体９１とゴアライン１０ａが作られ、第３の台形編地９ｃと第４の台形編地９ｄのコース端縁が編みとじされて第２の袋体９２とゴアライン１０ｂが作られる。ゴアライン１０ａ，１０ｂはいずれも胛側編地５１と足底側編地５２の爪先部から踵部に至る長手方向に延びる中心線ｘ−ｘ線上にある基点Ｐから爪先方向に延びることになる。
【００１６】
図示の例では、第３，第４の台形編地９ｃ，９ｄによって作られた第２の袋体９２のゴアライン１０ｂの方が第１，第２の台形編地９ａ，９ｂで作られた第１の袋体９１のゴアライン１０ａより長い。これは台形編地９ｃ，９ｄのコース数を多くすることにより第２の袋体９２を大きくし台形編地９ｃ，９ｄの端縁部分の長さを長くするためであり、また、このようにすることによりって該部の編地の面積を大きくすることにもなっている。上記ゴアライン１０ａ，１０ｂは共に胛側と足底側編地の双方にソックス外面より見て対称に発現するものでありソックス１の爪先部６の周縁にはゴアラインは存在することはない。
【００１７】
編地の面積を大きくするためにはゴアラインの形状を変化させれば良く図２Ｂに示す第２の例のごとくアラインの親指側のゴアラインを先端付近でＹ字状に更に分岐させることでその部分に更に袋体を増加させることも出来る。
【００１８】
シリンダーＳのｂ，ｃ，ｄ間の針により台形編地９ｄの長辺コースまで編成が終了した後に、該長辺コースと先にシリンダーＳのｂ，ｃ，ｄ間の針により編成し編成を休止していた足部５の最終コースとの間に開いている開口部をリンキング或いは縫着等適宜手段により綴じ合わせる。図２における１１はリンキングラインである。
【００１９】
更に図２Ｃに示す第３の例では、爪先部６の範囲を広げ、爪先部６の形状を足先の形状により一層添い易くするために、図２Ａに示す第１の例の足部５と爪先部６の間に環状に補整帯１２を設けている。補整帯１２はシリンダＳに挿入された針を２群に分け、その群の適宜数の針でシリンダの往復回転による半筒形の編地を作り、爪先先端部分の編成後別途一群の適宜数の針で前記同様半筒形の編地を作り両編地の端縁を編み綴じした筒状となしている。
【００２０】
その編成は次の如くして行なわれる。足部５の環状編成が終了した後、図１Ｂに示すシリンダＳのｄ，ａ，ｂの針は休止位置に置きシリンダＳのｂ，ｃ，ｄの範囲の針を用いシリンダの往復回転でコースの編成が進むにつれてその往復動の振り幅を減じつつ台形編地１２ａの編成を行う。
この振り幅の減少は極めてゆるいものとして編み上がった編地幅が急激に縮少しないようにする。また続いて編成する台形編地と同等の振り幅縮小率として両台形編地の端縁の線が一直線となるようにしても良い。
【００２１】
台形編地１２ａの編成に続き台形編地９ａの編成に移る。爾後第１の例と同様に台形編地９ｂ，９ｃ，９ｄを編成し、台形編地９ｄの長辺に続き台形編地１２ｂを往復編成し、漸次編幅を増大し、台形編地１２ａと対称の編地１２ｂとする。上記台形編地の編成において、台形編地９ａと９ｂ、同９ｃと９ｄ、１２ａと１２ｂとはそれぞれコース端縁において編みとじされてい、該部にゴアライン１０ａ，１０ｂ，１３ａが作られる。台形編地１２ｂの往復編成の端部では編地１２ａのコース端部の針に保持されていた編地に編み綴じされ台形編地１２ａ，１２ｂにより環状の補整帯１２となる。台形編地１２ｂの最終コースと足部５の最終コースとの間には開口部が形成されるので、リンキングマシンによりリンキングライン１１を構成し或いは縫着するなど適宜手段により開口を閉じる。
【００２２】
上記環状に形成された補正帯は緩かに屈曲して足部から爪先の形状に良く添はせる事が出来るために、爪先部にのみ台形編地を配し袋体を作った場合に比して編地にゆとりが生じ良好に足部及び爪先部を保護することが出来る。
【００２３】
上記の例はいずれも爪先部の編成は親指側から開始され小指側で終了しているためにリンキングライン１１が小指側に現われているが、爪先部の編成時、足部に続いて図１Ｂに示すシリンダＳのｄ，ａ，ｂの範囲の針で爪先部の編成を行なえば爪先部の編み終りは親指側の胛側及び足底側編地に位置することになり親指側にリンキングライン１１が出現する。
【００２４】
【発明の効果】
本発明ソックスは、胛側編地と足底側編地とをその外縁を一にして重ね、前記両編地それぞれの、踵部から爪先部に至る長手方向に延びる中心線上に基点を定め、胛側編地と足底側編地のそれぞれに、ソックス外面より見て対称形に前記基点から長さの異なる２以上の連続するゴアラインを前記両編地の爪先部に形成したために、爪先部分における人体の形状にあわせ、小指側よりも親指側の編地面積を大きくすることが出来、かつ、ゴアラインの発現する位置が胛側編地面と足底側編地面の内側に位置することになり爪先部周縁に発現することはないため着用時ゴアラインを構成する編糸が着用者の爪先或いは指周縁に当たり不快感を生じ更には足を傷めることもない。
特にスポーツソックスの如き厚手の編地に対し有効である。
【図面の簡単な説明】
【図１】本発明ソックスの第１の例を示すもので、Ａは全体斜視図、Ｂは本発明ソックスを編成するシリンダの概略説明図、Ｃは第１の例の編地の展開図。
【図２】本発明ソックスの爪先部分の概略説明図で、Ａは第１のＢは第２のＣは第３の例を示す。
【図３】本発明の第３の例の編地の展開図。
【図４】従来のソックスを示すもので、Ａは全体斜視図、Ｂはソックスの編地の展開図。
【符号の説明】
１  ソックス
２  穿口部
３  脚部
４  踵部
５  足部
６  爪先部
７  ヒールポケット
７ａ，７ｂ，９ａ，９ｂ  台形の編地
９  トウポケット
９１  第１の袋体
９２  第２の袋体
１０ａ，１０ｂ  ゴアライン
１１  リンキングライン
【図１】
2004218131.tif 000003
【図２】
2004218131.tif 000004
【図３】
2004218131.tif 000005
【図４】
2004218131.tif 000006